(57)【要約】【課題】圧電型発電素子において、発電時に圧電素子に発生する応力が均一となるようにし、収納性及び発電効率の向上を図る。【解決手段】発電部Ａは、プレート状の圧電素子１と圧電素子１が固着された支持プレート２とを持ち、支持プレート２は変位可能な自由端部２ａと固定される支持端部２ｂとを有する。この発電部Ａは、自由端部２ａと支持端部２ｂとを結ぶ方向に直交する方向の圧電素子１及び支持プレート２の幅寸法が、自由端部２ａ側よりも支持端部２ｂ側の方が大きくなるよう構成されており、自由端部２ａ付近が外力に押圧されて自由端部２ａから支持端部２ｂまで均一に撓むことにより、圧電素子１に発生する応力が均一となり効率良く発電する。圧電型発電素子は、この複数個の発電部Ａが互いの支持プレート２の側辺が近接するように一定の収納面積に対して効率良く配置され、収納性からみた発電効率が向上する。【選択図】図１
2006158111.tif 000002
【特許請求の範囲】
【請求項１】
プレート状の圧電素子と、この圧電素子が固着され、該圧電素子の外形形状と略同形状の弾性変形可能な支持プレートと、前記圧電素子により発電された電力を引き出す電極とを備える発電部を備え、前記支持プレートの各々は、変位可能な自由端部と、固定側の支持端部とを有し、前記自由端部と支持端部とを結ぶ方向に直交する方向の圧電素子及び支持プレートの幅寸法が、自由端部側よりも支持端部側の方が大きくなるよう構成され、前記発電部は、前記支持プレートの自由端部側に外部力が作用して支持プレート及び圧電素子が撓むことにより発電する圧電型発電素子において、
前記発電部は、複数個備えられ、一つの支持プレートの自由端部と支持端部との間の側辺が、他の隣り合う発電部の支持プレートの側辺と近接配置されていることを特徴とする圧電型発電素子。
【請求項２】
複数の前記支持プレートにおける各自由端部が圧電型発電素子の中央を向くように配置され、
この中央付近に、全ての自由端部を押圧移動させる押圧手段が設けられることを特徴とする請求項１記載の圧電型発電素子。
【請求項３】
前記支持プレートは、支持端部近傍で折り曲げられており、
前記発電部は、前記自由端部が拘束された状態で支持端部側に外部力が作用することで発電することを特徴とする請求項１記載の圧電型発電素子。
【請求項４】
矩形プレート状の圧電素子と、この圧電素子が固着され、該圧電素子の外形形状と略同形状の弾性変形可能な支持プレートと、前記圧電素子により発電された電力を引き出すための電極とを備える発電部を備え、前記支持プレートは、変位可能な自由端部と、固定側の支持端部とを有し、前記発電部は、前記支持プレートの自由端部側に外部力が作用して支持プレート及び圧電素子が撓むことにより発電する圧電型発電素子において、
前記支持プレートは複数の穴を備え、
前記複数の穴は、支持プレートの自由端部と支持端部とを結ぶ方向に直交する方向の幅寸法に対して、支持端部から自由端部側に行くほど開口率が大きくなるように設けられていることを特徴とする圧電型発電素子。
【請求項５】
前記複数の穴は、前記支持プレートの支持端部から自由端部側に行くほど穴の大きさが大きく、又は、穴の個数が多くなるように設けられていることを特徴とする請求項４記載の圧電型発電素子。
【請求項６】
プレート状の圧電素子と、この圧電素子が固着され、該圧電素子の外形形状と略同形状の弾性変形可能な支持プレートと、前記圧電素子により発電された電力を引き出すための電極とを備える発電部を備え、前記支持プレートは、変位可能な自由端部と、固定側の支持端部とを有し、前記発電部は、前記支持プレートの自由端部側に外部力が作用して支持プレート及び圧電素子が撓むことにより発電する圧電型発電素子において、
前記圧電素子及び支持プレートは、支持端部又は自由端部を中心にした渦巻形状に構成されていることを特徴とする圧電型発電素子。
【請求項７】
請求項１乃至請求項６のいずれかに記載の圧電型発電素子により発電した電力を電源として動作し、被制御機器に信号を送信するワイヤレス通信装置用のワイヤレススイッチ。
【発明の詳細な説明】
【技術分野】
【０００１】
本発明は圧電型発電素子と、それを利用した小型薄型ワイヤレススイッチに関するものである。
【背景技術】
【０００２】
従来の圧電素子を用いた発電素子には、圧電素子と支持プレートが積層され、片端を変位可能な自由端、他端を固定された支持端とした梁構造の発電素子が知られている。この発電素子は、自由端付近に外部力が作用し自由振動して圧電素子及び支持プレートが撓み、圧電素子に応力が発生することによって発電する。ここで、梁構造の発電素子が矩形形状であると支持端側が大きく撓むので、圧電素子が支持端近傍で限界応力を発生して自由端側では応力が小さくなり無駄な圧電素子部分が発生する。この圧電素子に発生する応力を均一化し圧電素子の体積に対しての発電効率を高くするために、特許文献1に開示されるように、梁構造の発電素子の自由端側に対して支持端側の幅寸法を大きくする技術が知られている。
【特許文献１】特開平９−２０５７８１号公報
【発明の開示】
【発明が解決しようとする課題】
【０００３】
しかしながら、発電素子を小型機器に組み込む用途においては、上記のように自由端側に対して支持端側の幅寸法が大きくなるように構成された発電素子は、矩形形状の発電素子と比較して、発電素子が占める面積に対して圧電素子の面積の割合が小さくなり収納性からみた発電効率が良くない。
【０００４】
本発明は上記問題点を鑑みてなされたものであり、発電時に圧電素子に発生する応力が均一となるようにして、収納性及び発電効率の向上を図った圧電型発電素子を提供することを目的とする。
【課題を解決するための手段】
【０００５】
上記目的を達成するため請求項１の発明は、プレート状の圧電素子と、この圧電素子が固着され、該圧電素子の外形形状と略同形状の弾性変形可能な支持プレートと、前記圧電素子により発電された電力を引き出す電極とを備える発電部を備え、前記支持プレートの各々は、変位可能な自由端部と、固定側の支持端部とを有し、前記自由端部と支持端部とを結ぶ方向に直交する方向の圧電素子及び支持プレートの幅寸法が、自由端部側よりも支持端部側の方が大きくなるよう構成され、前記発電部は、前記支持プレートの自由端部側に外部力が作用して支持プレート及び圧電素子が撓むことにより発電する圧電型発電素子において、前記発電部は、複数個備えられ、一つの支持プレートの自由端部と支持端部との間の側辺が、他の隣り合う発電部の支持プレートの側辺と近接配置されている構成としたものである。
【０００６】
請求項２の発明は、請求項１の発明において、複数の前記支持プレートにおける各自由端部が発電素子の中央を向くように配置され、この中央付近に、全ての自由端部を押圧移動させる押圧手段が設けられる構成としたものである。
【０００７】
請求項３の発明は、請求項１の発明において、前記支持プレートは、支持端部近傍で折り曲げられており、前記発電部が、前記自由端部が拘束された状態で支持端部側に外部力が作用することで発電するように構成したものである。
【０００８】
請求項４の発明は、矩形プレート状の圧電素子と、この圧電素子が固着され、該圧電素子の外形形状と略同形状の弾性変形可能な支持プレートと、前記圧電素子により発電された電力を引き出すための電極とを備える発電部を備え、前記支持プレートは、変位可能な自由端部と、固定側の支持端部とを有し、前記発電部は、前記支持プレートの自由端部側に外部力が作用して支持プレート及び圧電素子が撓むことにより発電する圧電型発電素子において、前記支持プレートは複数の穴を備え、前記複数の穴は、支持プレートの自由端部と支持端部とを結ぶ方向に直交する方向の幅寸法に対して、支持端部から自由端部側に行くほど開口率が大きくなるように設けられる構成としたものである。
【０００９】
請求項５の発明は、請求項４の発明において、前記複数の穴は、前記支持プレートの支持端部から自由端部側に行くほど穴の大きさが大きく、又は、穴の個数が多くなるように設けられる構成としたものである。
【００１０】
請求項６の発明は、プレート状の圧電素子と、この圧電素子が固着され、該圧電素子の外形形状と略同形状の弾性変形可能な支持プレートと、前記圧電素子により発電された電力を引き出すための電極とを備える発電部を備え、前記支持プレートは、変位可能な自由端部と、固定側の支持端部とを有し、前記発電部は、前記支持プレートの自由端部側に外部力が作用して支持プレート及び圧電素子が撓むことにより発電する圧電型発電素子において、前記圧電素子及び支持プレートを、支持端部又は自由端部を中心にした渦巻形状に構成したものである。
【００１１】
請求項７の発明は、被制御機器に信号を送信するワイヤレス通信装置用のワイヤレススイッチを、請求項１乃至請求項６のいずれかの発明における圧電型発電素子により発電した電力を電源として動作するような構成としたものである。
【発明の効果】
【００１２】
請求項１の発明によれば、発電部の支持プレートが自由端部側よりも支持端部側の方の幅寸法が大きくなるような形状とされているので、圧電素子に発生する応力が均一となって発電部の発電効率が向上する。また、複数個の発電部が、各々の支持プレートの側辺が互いに近接するように配置されているので、一定の収納面積内に効率良く発電部を配置することができ、均一に応力が発生する圧電素子の面積を広く確保することが可能となり、従って、収納性からみた発電効率が向上する。
【００１３】
請求項２の発明によれば、複数の発電部が各自由端部を圧電型発電素子の中央に向けて配置され、複数個の発電部は、この発電素子の中央付近の押圧手段により各自由端部を押圧移動されて駆動されるので、収納性からみた発電効率が向上し、また、発電素子全体を１つの押圧手段より容易に駆動可能となる。
【００１４】
請求項３の発明によれば、各発電部が支持端部近傍で折り曲げられている構造とされ、自由端部が拘束されて、複数個の発電部の支持端部側に外部力が作用することにより発電する。このように、支持端部側を押圧することにより圧電型発電素子を駆動することができるので、発電部の配置に係わらず複数の発電部を容易に駆動させることが可能となり、また、収納性からみた発電効率が向上する。
【００１５】
請求項４の発明によれば、矩形形状の支持プレートの支持端部から自由端部側に行くほど開口率が大きくなるように支持プレートに複数の穴が設けられているので、自由端部側に外部力が作用して支持プレート及び圧電素子が撓むとき、支持端部側から自由端部側までより均一に撓むようになり、圧電素子に発生する応力が均一となり、発電効率が向上する。また、発電部は矩形形状であり収納性からみた発電効率も良い。
【００１６】
請求項５の発明によれば、支持プレートに、支持端部から自由端部に向けて穴の大きさが大きく、又は、穴の個数が多くなるように穴を設けているので、上記効果をより容易に得ることが可能となる。
【００１７】
請求項６の発明によれば、発電部が支持端部又は自由端部を中心とした渦巻形状となっているので、自由端部側に外部力が作用してコイルバネのように支持端部側から自由端部側までより均一に撓むようになり、圧電素子に発生する応力は均一となり、発電効率が向上する。また、圧電型発電素子が占める面積に対して圧電素子の面積も広く確保できることから、収納性からみた発電効率が向上する。
【００１８】
請求項７の発明によれば、収納性と発電効率が向上された圧電型発電装置をワイヤレススイッチの電源として用いるので、ワイヤレススイッチを小型・薄型とすることが可能となり、また、電池の交換などが不要となり、ワイヤレススイッチの使い勝手が良くなる。
【発明を実施するための最良の形態】
【００１９】
以下、本発明における第１の実施形態乃至第５の実施形態について図面を参照しながら説明する。図１は第１の実施の形態における圧電型発電素子の概略構成の一例を示す。この圧電型発電素子は複数の発電部Ａから構成されており、図２（ａ）は１つの発電部Ａを側面から見たときの概略構成を、図２（ｂ）はこの発電部Ａを圧電素子１が固着された面から見たときの概略構成を示す。この発電部Ａは、圧電素子１と、圧電素子１が固着された支持プレート２と、圧電素子１の支持プレート２が固着されていない面に設けられた電極１ａと、その反対の面に設けられた電極１ｂとを備えており、圧電素子１と支持プレート２とは略同形状である。
【００２０】
この発電部Ａの支持プレート２は、変位可能な自由端部２ａと固定側の支持端部２ｂとを有し、支持端部２ｂにおいて固定部Ｂに固定される。そして、発電部Ａは、自由端部２ａ付近を押圧され、自由端部２ａと支持端部２ｂとの間の圧電素子１と支持プレート２とが図２（ａ）の黒矢印方向に撓み、圧電素子１内部に応力が生じることにより電力を発生する。発電部Ａは図２（ｂ）に示されるように、自由端部２ａと支持端部２ｂとを結ぶ方向（Ｙ方向）に直交する方向（Ｘ方向）の圧電素子１及び支持プレート２の幅寸法が、自由端部２ａ側よりも支持端部２ｂ側の方が大きくなるよう構成されており、自由端部２ａが押圧されて圧電素子１と支持プレート２とが撓むとき、圧電素子１内部に生じる応力は均一となり、圧電素子１の体積に対しての発電効率が高くなるように構成されている。
【００２１】
上記の発電部Ａが、図１に示されるように、一つの支持プレート２の自由端部２ａと支持端部２ｂとの間の側辺が他の発電部Ａの支持プレート２の側辺と近接に隣り合って複数個配置され、固定部Ｂに固定されて１つの圧電型発電素子とされる（請求項１乃至請求項３に対応）。図１では、複数の発電部Ａが対向して互い違いとなるように配置され、それぞれの発電部Ａは、他の発電部Ａとは独立して自由に動くことができる。そして、この圧電型発電素子は、複数の発電部Ａにおけるそれぞれの自由端部２ａ付近が外部力により押圧されることにより、それぞれの発電部Ａが駆動されて電力を発生し、電極１ａ、電極１ｂより発電した電力を引き出される。このとき、固定部Ｂは、図示のように複数の発電部Ａに共通な１つの固定部Ｂとなるように設けてもよく、発電部Ａごとに別々の固定部Ｂを持つように設けてもよい。
【００２２】
第１の実施形態においては、上記のように、圧電素子の応力が均一となるようにして発電効率を向上させた複数個の発電部Ａを近接して隣り合うように配置させる。このように配置することによって、単純に一列に隣り合うように発電部Ａを配置した場合に比べて、一定の収納面積内に効率良く発電部Ａを配置することができ、均一に応力が発生する圧電素子の面積を広く確保することが可能となり、収納性からみた発電効率が向上する。
【００２３】
次に、第２の実施形態における圧電型発電素子の概略構成の一例を図３に示す。以下の実施形態の説明においては、上述の実施形態と同一の構成要素については、同一の参照符号を付して説明を省略し、相違点のみを説明する。この圧電型発電素子は、複数個の発電部Ａの各々を、この発電部Ａの側辺が他の発電部Ａの側辺と近接に隣り合うように、また、自由端部２ａが発電素子の中央を向くように配置したものである。そして、中央付近には押圧手段３が設けられ、押圧手段３により全ての発電部Ａの自由端部２ａが押圧されて発電部Ａが駆動される（請求項２に対応）。つまり、この圧電型発電素子を駆動するためには、中央付近に設けられた１箇所の押圧手段３を押圧すればよく、圧電型発電素子を容易に駆動させることが可能となる。
【００２４】
また、第３の実施形態における圧電型発電素子の概略構成の一例を図４に示す。この圧電型発電素子は、各発電部Ａの支持プレート２が、支持端部２ｂの近傍で折り曲げられた形状とされる（請求項３に対応）。図４は、上記第２の実施形態のような発電部Ａの配置において、支持プレート２を折り曲げた形状となる圧電型発電素子を示し、図５は、図４のような圧電型発電素子の断面形状を示す。本実施形態においては、図５のように外部壁Ｃに自由端部２ａが接触しており、この自由端部２ａが外部壁Ｃの方向へは動かないように拘束されている。圧電型発電素子の外部壁Ｃと反対側には押圧板Ｄが設けられ、押圧板Ｄは外部力により押圧される。そして、図の白抜き矢印のように、この押圧板Ｄに圧電型発電素子の支持端部２ｂ付近が押圧されることによって、それぞれの発電部Ａの圧電素子１及び支持プレート２が撓んだ状態となり、圧電型発電素子は駆動される。このように圧電型発電素子を駆動することができるので、発電部Ａの配置に係わらず複数の発電部Ａを容易に駆動させることが可能となる。
【００２５】
図６（ａ）乃至（ｃ）は第４の実施形態における圧電型発電素子の概略構成の一例を示す。本実施形態において、圧電型発電素子の発電部Ａの圧電素子１及び支持プレート２は矩形形状である。この発電部Ａの支持プレート２には複数の穴が設けられており、圧電素子１には穴は設けられていない。この穴は、支持プレート２の自由端部２ａと支持端部２ｂとを結ぶ方向に直交する方向（X方向）の幅寸法に対して、支持端部２ｂ側から自由端部２ａ側に行くほど開口率が大きくなるように設けられる（請求項４及び請求項５に対応）。つまり、図６（ｃ）における点線Ｅで示した位置と点線Ｆで示した位置では、自由端部２ａに近い点線Ｅで示される位置における開口率の方が点線Ｆで示した位置における開口率よりも大きくなるように、穴２１及び穴２２が設けられる。
【００２６】
上記のように複数の穴が設けられて自由端部２ａ側の方が撓み易くなっているので、この圧電型発電素子は支持プレート２の自由端部２ａを押圧されて駆動され、支持プレート２と圧電素子１とが支持端部２ｂ側から自由端部２ａ側まで均一に撓み、圧電素子１に均一な応力が発生する。このように、圧電素子１に発生する応力が均一となるため発電効率が向上し、また、発電部Ａは矩形形状であり収納性からみた発電効率も良い。ここで、支持プレート２に設けられる穴は、支持端部２ｂから自由端部２ａに向けた方向（図６（ｃ）のＹ方向）に、穴の大きさが徐々に大きくなるように設けてもよく、また、穴の個数が多くなるように設けてもよい（請求項５に対応）。
【００２７】
図７は、第５の実施形態における圧電型発電素子の概略構成の一例を示す。本実施形態において、圧電型発電素子の発電部Ａは、固定部Ｂに固定された支持端部２ｂを中心として自由端部２ａまでが渦巻形状とされる。そして、自由端部２ａが押圧されて駆動されたときに、発電部Ａの支持プレート２と圧電素子１はコイルバネのように支持端部２ｂ側から自由端部２ａ側まで均一に撓み、圧電素子１には均一な応力が発生する。このように、圧電素子１に発生する応力が均一となることで発電効率が向上し、また、圧電型発電素子が占める面積に対する圧電素子１の面積も効率良く確保することができることから、発電効率を向上させることが可能となる。ここで、発電部Ａは自由端部２ａを中心として支持端部２ｂまでを渦巻形状としてもよく、このとき、自由端部２ａを押圧されることにより同様に効率よく発電が可能となる。
【００２８】
次に、図８乃至図１０を参照して、上記第１乃至第５の実施形態のいずれかの圧電型発電素子を備えたワイヤレス通信装置用のワイヤレススイッチの実施形態を説明する。このワイヤレススイッチは、圧電型発電素子により発電した電力を電源として動作し、被制御機器に信号を送信する。図８（ａ）（ｂ）は、上記第１の実施形態と同様の構成でなる、３個の発電部Ａを持つ圧電型発電素子と、この圧電型発電素子を備えるワイヤレススイッチを示す。このワイヤレススイッチにおいて、圧電型発電素子の固定部Ｂと、ワイヤレス通信装置５０とが筐体５１に固定され、圧電型発電素子の電極１ａ、電極１ｂとワイヤレス通信装置５０とは配線５４で接続される。筐体５１にはスイッチハンドル５２がヒンジ５３を介して図の矢印の方向に回転移動可能に設けられる。スイッチハンドル５２には圧電型発電素子の押圧手段３が固着されており、スイッチハンドル５２が矢印の方向に押下されると、押圧手段３は圧電型発電素子の支持プレート２を押圧する。
【００２９】
ここで、押圧手段３は図８（ａ）の圧電型発電素子の発電部Ａの自由端部２ａ付近である、３箇所の押圧部Ｐ（２点鎖線で囲んだ領域）を押圧するように構成され、スイッチハンドル５２を押下すると、３つの発電部Ａの支持プレート２及び圧電素子１が同時に黒矢印方向へ撓む。このようにして圧電素子１が撓んで圧電型発電素子が発電した電力は、電極１ａ、電極１ｂから配線５４を通じてワイヤレス通信装置５０に供給される。ワイヤレス通信装置５０は電力が供給されると、被制御機器に、例えば被制御機器の動作をオン・オフさせるような反転信号を送信する。このように、ワイヤレススイッチの電源を収納性と発電効率が向上された圧電型発電素子とすることにより、ワイヤレススイッチを小型、薄型とすることが可能となり、また、電池の交換などが不要となるため、ワイヤレススイッチの使い勝手を良くすることが可能となる。
【００３０】
図９（ａ）（ｂ）は、上記第２の実施形態と同様の構成でなる圧電型発電素子と、この圧電型発電素子を備えるワイヤレススイッチを示す。この圧電型発電素子は各発電部Ａの自由端部２ａが圧電型発電素子の中央を向いており、押圧部Ｐは中央付近の１箇所とされる。押圧手段３はその押圧部Ｐ（２点鎖線で囲んだ領域）を押すようにスイッチハンドル５２に固着され、上記のワイヤレススイッチと同様に、スイッチハンドル５２を矢印の方向に押下されることにより全ての発電部Ａが駆動されるように構成される。そのほかの構成は上記のようなワイヤレススイッチの構成と同様である。
【００３１】
上記第４又は第５の実施形態と同様の構成でなる圧電型発電素子をワイヤレススイッチの電源として備える場合においても、上記のようなワイヤレススイッチの構成においてスイッチハンドル５２により圧電型発電素子を押圧する押圧手段３を変更すればよい。つまり、押圧手段３が押圧する位置が、圧電型発電素子の発電部Ａの支持プレート２における自由端部２ａ付近となるように押圧手段３の位置を変更してワイヤレススイッチを構成することにより、圧電型発電素子を駆動させることが可能となる。
【００３２】
図１０（ａ）（ｂ）は、上記第３の実施形態と同様の構成でなる圧電型発電素子と、この圧電型発電素子を備えるワイヤレススイッチを示す。この圧電型発電素子の固定部Ｂは、筐体５１と固定されず、発電部Ａの支持プレート２が固定端部２ｂ付近で折り曲げられており、自由端部２ａがワイヤレススイッチの筐体５１に接触するように圧電型発電素子と筐体５１とが構成される。そして、圧電型発電素子とスイッチハンドル５２に設けられた押圧手段３との間に押圧板Ｄが設けられ、スイッチハンドル５２が矢印の方向へ押下されると押圧板Ｄを介して圧電型発電素子の支持端部２ｂ側の押圧部Ｐ（２点鎖線で囲んだ領域）が押圧され、圧電型発電素子の支持端部２ｂ側は矢印の方向へ変位する。自由端部２ａは筐体５１と接触しており、この方向への移動が拘束されることにより、圧電型発電素子の支持プレート２と圧電素子１が撓んで圧電型発電素子が発電する。そのほかの構成は、上記のようなワイヤレススイッチの構成と同様である。
【００３３】
なお、本発明は上記各実施形態の構成に限定するものではなく、発明の範囲を変更しない範囲で適宜に種々の変形が可能である。例えば、第４の実施形態において、支持プレート２に設ける穴は楕円形、矩形等の形状の穴でもよく、またこれらの種々の形状の穴が混ざっていても同様の効果が得られる。
【図面の簡単な説明】
【００３４】
【図１】本発明の第１の実施形態に係る圧電型発電素子の正面図。
【図２】（ａ）は上記実施形態における１つの発電部Ａの側面図、（ｂ）はその正面図。
【図３】本発明の第２の実施形態に係る圧電型発電素子の正面図。
【図４】本発明の第３の実施形態に係る圧電型発電素子の斜視図。
【図５】同上の圧電型発電素子の動作の前後についての側断面図。
【図６】（ａ）は本発明の第４の実施形態に係る圧電型発電素子の正面図、（ｂ）は同側面図、（ｃ）は同背面図。
【図７】本発明の第５の実施形態に係る圧電型発電素子の平面図。
【図８】（ａ）は上記第１の実施形態と同様の構成でなる圧電型発電素子の平面図、（ｂ）は同上の圧電型発電素子を備えたワイヤレススイッチを示し、（ａ）のＧ−Ｇ線断面図。
【図９】（ａ）は上記第２の実施形態と同様の構成でなる圧電型発電素子の平面図、（ｂ）は同上の圧電型発電素子を備えたワイヤレススイッチを示し、（ａ）のＨ−Ｈ線断面図。
【図１０】（ａ）は上記第３の実施形態と同様の構成でなる圧電型発電素子の平面図、（ｂ）は同上の圧電型発電素子を備えたワイヤレススイッチを示し、（ａ）のＩ−Ｉ線断面図。
【符号の説明】
【００３５】
１  圧電素子
１ａ  電極
１ｂ  電極
２  支持プレート
２ａ  自由端部
２ｂ  支持端部
３  押圧手段
５０  ワイヤレス通信装置
Ａ  発電部
Ｂ  固定部
【図１】
2006158111.tif 000003
【図２】
2006158111.tif 000004
【図３】
2006158111.tif 000005
【図４】
2006158111.tif 000006
【図５】
2006158111.tif 000007
【図６】
2006158111.tif 000008
【図７】
2006158111.tif 000009
【図８】
2006158111.tif 000010
【図９】
2006158111.tif 000011
【図１０】
2006158111.tif 000012